(57)【要約】【課題】専用のコントローラを用いることなく、管理対象物の所在を容易に認識させることが可能な所在探索支援システムを提供する。【解決手段】所在報知装置５と無線基地局装置３とを備える。所在報知装置５は、管理対象物４に装着され、光または音等を出力する報知手段２０と、作動信号に基づき報知手段２０を動作させる報知制御手段１９とを有する。また、無線基地局装置３は、所在報知装置５に関する作動情報１１を夫々の携帯電話２の電話番号９に対応させて記憶したユーザデータベース８と、被呼側の電話番号と携帯電話２の電話番号９とが互いに一致していると判断された場合、電話番号９に対応する作動情報１１を抽出する抽出手段１６と、この作動情報１１に応じた作動信号を発信する発信手段１７とを有する。【選択図】        図１
2004200750.tif 000002
【特許請求の範囲】
【請求項１】
ユーザーの管理対象物に装着され、
ユーザーが認識可能な光または音等を出力する報知手段、
及び作動信号に基づき前記報知手段を動作させる報知制御手段
を有し、前記報知手段の作動によって前記管理対象物の所在を知らせる所在報知装置と、
携帯電話から発信された電波信号を受信する受信手段、
該電波信号を公衆回線網に送出する送出手段、
前記所在報知装置に関する作動情報を、夫々の携帯電話の電話番号に対応させて記憶した記憶手段、
前記受信手段で受信された前記電波信号を基に被呼側の電話番号を認識するとともに、該被呼側の電話番号と前記携帯電話の電話番号とが互いに一致しているか否かを判断する電話番号判断手段、
前記被呼側の電話番号及び前記携帯電話の電話番号が互いに一致していると判断された場合、前記電話番号に対応する前記作動情報を前記記憶手段から抽出する抽出手段、
及び抽出された前記作動情報に応じた作動信号を発信する発信手段
を有する無線基地局装置と
を備えることを特徴とする所在探索支援システム。
【請求項２】
ユーザーの管理対象物に装着され、
ユーザーが認識可能な光または音等を出力する報知手段、
及び作動信号に基づき前記報知手段を動作させる報知制御手段
を有し、前記報知手段の作動によって前記管理対象物の所在を知らせる所在報知装置と、
携帯電話から発信された電波信号を受信する受信手段、
該電波信号を公衆回線網に送出する送出手段、
前記所在報知装置に関する作動情報を、夫々の携帯電話の電話番号及び予め設定される選択番号に対応させて記憶した記憶手段、
前記受信手段で受信された前記電波信号を基に被呼側の電話番号を認識するとともに、該被呼側の電話番号と前記携帯電話の電話番号とが互いに一致しているか否かを判断する電話番号判断手段、
前記被呼側の電話番号及び前記携帯電話の電話番号が互いに一致していると判断された場合、前記携帯電話に対して前記選択番号の入力を促す選択番号要求手段、
前記受信手段によって前記選択番号が認識されると、前記電話番号及び前記選択番号の組合せに対応する前記作動情報を前記記憶手段から抽出する抽出手段、
及び抽出された前記作動情報に応じた作動信号を発信する発信手段
を有する無線基地局装置と
を備えることを特徴とする所在探索支援システム。
【請求項３】
ユーザーの管理対象物に装着され、
ユーザーが認識可能な光または音等を出力する報知手段、
及び作動信号に基づき前記報知手段を動作させる報知制御手段
を有し、前記報知手段の作動によって前記管理対象物の所在を知らせる所在報知装置と、
携帯電話から発信された発信情報を、インターネットを通して受信する通信手段、
前記所在報知装置に関する作動情報を、前記発信情報に対応させて記憶した記憶手段、
前記発信情報が受信されると、該発信情報に対応する前記作動情報を前記記憶手段から抽出する抽出手段、
及び抽出された前記作動情報に応じた作動信号を発信する発信手段
を有するサーバと
を備えることを特徴とする所在探索支援システム。
【発明の詳細な説明】
【０００１】
【発明の属する技術分野】
本発明は、所在探索支援システムに関し、特に、鍵や書類などの管理対象物の所在を必要に応じて明らかにすることが可能な所在探索支援システムに関するものである。
【０００２】
【従来の技術】
車のキーや財布等は、一般に使用頻度が多いことから、たとえ収納場所が決められている場合であっても、テーブルの上などに一時的に置かれることが多い。この仮の場所は収納場所のように特定された場所ではなく、しかも無意識に置かれる場合も多いことから、その場所に置かれたまま放置されると、置き場所を忘れてしまう可能性が高い。そして、置き場所を忘れた場合には、記憶を辿りながら探し回ることになるが、なかなか見つからない場合には、多くの時間と労力を浪費してしまう。
【０００３】
また、例えば書類や書籍またはビデオテープ等、同種の物品が数多く収容されている場合には、その中から目的の物品を探すのに苦労することがある。特に重要な書類がなかなか見つからない場合には、その書類が見つかるまで心痛の原因となる。
【０００４】
そこで、探索を支援するため、紛失しやすい物等に報知装置を取付けるとともに、発信手段を有するコントローラを用いて報知手段を作動させるようにしたシステムが提案されている。これによれば、コントローラを操作して電波信号を発信させると、管理対象物に取付けられた報知装置が作動し、管理対象物の所在を明らかにすることができる。
【０００５】
以上の従来技術は、当業者において当然として行われているものであり、出願人は、この従来技術が記載された文献を知見していない。
【０００６】
【発明が解決しようとする課題】
しかしながら、上記のシステムを実現するためには、専用のコントローラが必要となることから、使用者の負担が大きくなっていた。しかも、コントローラから発信される電波の有効エリアは比較的狭く、遠くまで届かないことから、使用者と管理対象物（紛失物）とが離れている場合には、報知装置を作動させることができず、管理対象物の所在を明らかにすることができなかった。
【０００７】
また、上記のコントローラは誰でも使用できることから、管理対象物の安全性を確保することができなかった。つまり、車のキーや財布または重要な書類等を管理対象物とした場合には、盗難される可能性が高くなるため、このような物品への利用を躊躇させる場合もあった。
【０００８】
さらに、従来のコントローラは比較的大きいため、携帯することが困難であった。つまり、管理対象物を探す際に、コントローラが身近にない場合には、わざわざコントローラを取りに行かなければならず、その動作が億劫となったり、コントローラを取りに行くよりも自分で探した方が早いという意識を喚起させたりしていた。特に、持ち歩くことが困難な場合には、コントローラが配置された場所に行くだけでは足りず、管理対象物の所在を確認した後に、電波の発信を停止させるために再びその場所に戻らなければならない。なお、現在の技術によれば、コントローラを小型化し携帯可能にすることも十分可能であるが、この場合には、コントローラ自体を紛失する可能性が高くなり（テレビのリモコン等で日常経験しているように）、全く無意味な商品になってしまう。
【０００９】
そこで、本発明は、上記の実状に鑑み、専用のコントローラを用いることなく、管理対象物の所在を容易に認識することが可能な所在探索支援システムの提供を課題とするものである。
【００１０】
【課題を解決するための手段】
請求項１の発明にかかる所在探索支援システムは、所在報知装置と無線基地局装置とを備えるものである。そして、前記所在報知装置は、ユーザーの管理対象物に装着され、ユーザーが認識可能な光または音等を出力する報知手段と、作動信号に基づき前記報知手段を動作させる報知制御手段とを有し、前記報知手段の作動によって前記管理対象物の所在を知らせるものである。また、無線基地局装置は、携帯電話から発信された電波信号を受信する受信手段と、該電波信号を公衆回線網に送出する送出手段と、前記所在報知装置に関する作動情報を、夫々の携帯電話の電話番号に対応させて記憶した記憶手段と、前記受信手段で受信された前記電波信号を基に被呼側の電話番号を認識するとともに、該被呼側の電話番号と前記携帯電話の電話番号とが互いに一致しているか否かを判断する電話番号判断手段と、前記被呼側の電話番号及び前記携帯電話の電話番号が互いに一致していると判断された場合、前記電話番号に対応する前記作動情報を前記記憶手段から抽出する抽出手段と、抽出された前記作動情報に応じた作動信号を発信する発信手段とを有するものである。
【００１１】
ここで、所在報知装置における「報知手段」としては、ブザー音、音声、及びメロディ等を発生する音発生手段、光を放射する発光手段、並びに所定のパターンで振動可能な振動手段等を例示できる。つまり、作動した際にユーザーが認識可能な手段であれば特に限定されるものではなく、管理対象物に適した報知手段を設定すればよい。また、「携帯電話」にはＰＨＳも含まれる。
【００１２】
したがって、請求項１の発明の所在探索支援システムによれば、無線基地局装置は、携帯電話から発信された電波信号（被呼側の電話番号及び自局の電話番号を含む）を受信すると、その電波信号を公衆回線網に送出する。つまり、交換機等を含む公衆回線網を通して他の携帯電話や一般電話機を呼出し通話を可能にする。ところで、本発明の無線基地局装置には、電話番号判断手段、抽出手段、及び発信手段が備えられており、被呼側の電話番号と携帯電話の電話番号（自局の電話番号）とが互いに一致しているか否かを判断し、両方の番号が互いに一致している場合には、自局の電話番号に対応する作動情報を記憶手段から抽出する。つまり、携帯電話から自局を被呼側とする電波信号が送信された場合、所定の所在報知装置を作動させるための情報（例えば特定の周波数）を記憶手段から抽出する。そして、抽出された作動情報に応じた作動信号を発信する。これにより、所在報知装置の報知手段が作動し、使用者は管理対象物の所在を認識することが可能になる。つまり、携帯電話をコントローラとして、紛失物等の所在を探索することが可能になる。
【００１３】
なお、この際、自局の電話番号を被呼側の電話番号とすることから、公衆回線網に送出されても、他の携帯電話や一般の電話器に繋がることがない。しかも、所在報知装置毎に専用の番号を付する必要がないことから、電話番号の数を増加させることなく実現できる。
【００１４】
請求項２の発明にかかる所在探索支援システムは、所在報知装置と無線基地局装置とを備えるものである。所在報知装置は、請求項１の発明における所在報知装置と同様の構成を有する。無線基地局装置は、携帯電話から発信された電波信号を受信する受信手段と、該電波信号を公衆回線網に送出する送出手段と、前記所在報知装置に関する作動情報を、夫々の携帯電話の電話番号及び予め設定される選択番号に対応させて記憶した記憶手段と、前記受信手段で受信された前記電波信号を基に被呼側の電話番号を認識するとともに、該被呼側の電話番号と前記携帯電話の電話番号とが互いに一致しているか否かを判断する電話番号判断手段と、前記被呼側の電話番号及び前記携帯電話の電話番号が互いに一致していると判断された場合、前記携帯電話に対して前記選択番号の入力を促す選択番号要求手段と、前記受信手段によって前記選択番号が認識されると、前記電話番号及び前記選択番号の組合せに対応する前記作動情報を前記記憶手段から抽出する抽出手段と、抽出された前記作動情報に応じた作動信号を発信する発信手段とを有するものである。
【００１５】
したがって、請求項２の発明の所在探索支援システムによれば、請求項１の発明の作用と同様、無線基地局装置は、電波信号を受信すると、その電波信号を公衆回線網に送出し、公衆回線網を通して他の携帯電話や一般電話機を呼出す。ただし、本発明の無線基地局装置は、電話番号判断手段、抽出手段、及び発信手段に加え、選択番号要求手段を備えており、被呼側の電話番号と携帯電話の電話番号（自局の電話番号）とが互いに一致している場合には、携帯電話に対して選択番号の入力を促し、その後、携帯電話から選択番号が送信されると、自局の電話番号及び設定された選択番号の組合せに対応する作動情報を記憶手段から抽出する。つまり、管理対象物毎に取付けられる所在報知装置の作動情報と選択番号とが互いに関連付けて記憶されているため、選択番号から一つの作動情報を特定することができる。これにより、複数の管理対象物の所在を一台の携帯電話で同時に管理することが可能になる。
【００１６】
請求項３の発明にかかる所在探索支援システムは、所在報知装置とサーバとを備えるものである。所在報知装置は、請求項１の発明における所在報知装置と同様の構成を有する。サーバは、携帯電話から発信された発信情報を、インターネットを通して受信する通信手段と、所在報知装置に関する作動情報を、前記発信情報に対応させて記憶した記憶手段と、前記発信情報が受信されると該発信情報に対応する前記作動情報を前記記憶手段から抽出する抽出手段と、抽出された前記作動情報に応じた作動信号を発信する発信手段とを有するものである。
【００１７】
したがって、請求項３の発明の所在探索支援システムによれば、サーバは、携帯電話から発信された発信情報を、インターネットを介して受信すると、この発信情報に対応する作動情報を記憶手段から抽出する。つまり、所定の管理対象物に装着された所在報知装置を作動させるための情報を記憶手段から抽出する。そして、抽出された作動情報に応じた作動信号を発信する。これにより、所在報知装置の報知手段が作動し、使用者は管理対象物の所在を認識することが可能になる。つまり、携帯電話をインターネットに接続することにより、紛失物等の所在を探索することが可能になる。
【００１８】
【発明の実施の形態】
以下、本発明の第一実施形態である所在探索支援システムについて、図１及び図２に基づき説明する。図１は所在探索支援システムの構成を示す説明図であり、図２は所在探索支援システムの無線基地局装置における処理の流れを示すフローチャートである。
【００１９】
図１に示すように、本例の所在探索支援システム１は、汎用の携帯電話２と、無線区間における各種信号の送受信を行う無線基地局装置３と、使用者の管理対象物４に装着される所在報知装置５とから構成されている。なお、無線基地局装置３には、公衆回線網６が接続されており、携帯電話２から送信された信号を、公衆回線網６を介して一般の電話器７や他の携帯電話に接続することを可能にしている。
【００２０】
無線基地局装置３は、各携帯電話２から送信された電波信号を受信し、この信号に応じた処理を行う。ハード構成としては、主記憶装置と、演算装置及び制御装置から構成される中央処理装置と、情報を入力するための入力装置と、ハードディスク等から構成された記憶装置（いずれも図示しない）とを備えている。
【００２１】
記憶装置には、使用者に関する情報、及び個々の使用者の携帯電話２及び所在報知装置５に関する情報が記憶されたユーザデータベース８が構築されている。特に、ユーザデータベース８には、携帯電話２の電話番号９（自局の電話番号）及び予め設定される選択番号１０と、所在報知装置５に関する作動情報１１とが互いに関連付けて記憶されている。ここで、作動情報１１は夫々の所在報知装置５を特定するための情報であり、本例では、複数の所在報知装置５の中から選択された所在報知装置５のみを無線によって作動させるための発信周波数が記憶されている。ここで、ユーザデータベース８が本発明の記憶手段に相当する。
【００２２】
また、無線基地局装置３には、機能的構成として、個々の携帯電話２から発信された電波信号を受信する受信手段１２と、この電波信号を公衆回線網６に送出する送出手段１３とを備えている。これらの受信手段１２及び送出手段１３は、従来から備えられているものであり、電波信号に含まれる携帯電話２の電話番号９及び被呼側の電話番号を基に、公衆回線網６を介して相手側を呼び出すとともに通話を可能にする。
【００２３】
本例の無線基地局装置３には、特有の機能的構成として、電話番号判断手段１４、選択番号要求手段１５、抽出手段１６、及び発信手段１７が備えられている。電話番号判断手段１４は、受信された電波信号に基づいて被呼側の電話番号（以下、「被呼側番号」と称す）、及び電波信号を発信する携帯電話２の電話番号（以下、「自局番号」と称す）を認識するとともに、被呼側番号と自局番号とが互いに一致しているか否かを判断するものである。つまり、登録された使用者の携帯電話２において、自局番号を被呼側番号として発信しているか否かを判断する。選択番号要求手段１５は、自局番号を被呼側番号として発信した場合に機能するものであり、その携帯電話２に対して選択番号１０の入力を促す。つまり、無線基地局装置３によって作動させるべき所在報知装置５を使用者に選択させる。なお、携帯電話２への要求は発信手段１７を介して行われる。
【００２４】
抽出手段１６は、受信手段１２によって選択番号１０を受信した場合、電話番号９及び選択番号１０の組合せに対応する作動情報１１、すなわち所定の所在報知装置５を作動させるための情報をユーザデータベース８から抽出するものである。また、発信手段１７は抽出された作動情報に応じた作動信号を発信するものである。つまり、発信手段１７は、所定の所在報知装置５のみが作動する信号を発生させる。
【００２５】
一方、所在報知装置５は管理対象物４に装着されており、無線基地局装置３の発信手段１７から発信される電波に応じて作動するものである。なお、管理対象物４としては、自動車のキー、財布、及び鞄等の携帯物、並びに書類、書籍、及びビデオテープ等の収容物を例示することができる。また、ペット等の動物、及び幼児等の人物の所在を管理対象としてもよい。また、図示していないが、夫々の所在報知装置５には、管理対象物４に装着するための装着部が備えられている。この装着部の具体的な形態は管理対象物４によって異なり、例えば車のキーを管理対象物４とする場合には、そのキーに装着可能な例えばキーホルダー型の態様となり、財布を管理対象物４とする場合には、財布の中に収容可能なカード型の態様となり、また、書類等を管理対象物４とする場合には、書類に取付可能なクリップ型の態様となる。
【００２６】
また、所在報知装置５は、少なくとも、発信手段１７から発信された電波を受信する受信手段１８、及び報知手段２０を作動させる報知制御手段１９を備えている。特に、報知制御手段１９は、発信手段１７から発信された電波信号が自己の所在報知装置５を指定するものであるか否かを判断し、自己を指定するものである場合に報知手段２０を作動させる。本例の報知手段２０には、音声やメロディを発生させるスピーカと、光を放射する発光手段とが備えられており、使用者の聴覚及び視覚を通して管理対象物４の所在を知らせるようにしている。なお、音声やメロディ等によれば、聴覚によって認識させることから、管理対象物４を置き忘れた場所がわからない場合（すなわち紛失物を探索する場合）に効果を発揮する。一方、発光手段によれば、視覚によって認識させることから、同種の物品が数多く収納されている中から目的の物品を探す場合等に効果を発揮する。したがって、所在報知装置５における報知手段２０としては、スピーカ及び発光手段のどちらか一方のみを備え、管理対象物４の種別に応じて使い分けるようにしてもよい。
【００２７】
次に、第一実施形態の所在探索支援システム１の動作、特に、無線基地局装置３における処理の流れについて説明する。図２に示すように、まず、無線基地局装置３は、いずれかの携帯電話２から電波信号を受信すると（ステップＳ１においてＹＥＳ）、公衆回線網６に被呼側番号及び自局番号を送出し（ステップＳ２）、被呼側番号に相当する電話器を呼び出す。つまり、被呼側の電話機においてフックスイッチが閉じられることにより、通話が可能になる。ただし、被呼側の電話機が使用中でフックスイッチが既に閉じられている場合には所謂「話し中状態」となり、被呼側の電話機には繋がらない。換言すれば、自局番号を被呼側として公衆回線網６に送出した場合も、「話し中状態」となる。
【００２８】
一方、無線基地局装置３では、被呼側番号と自局番号とが一致する場合には（ステップＳ３においてＹＥＳ）、携帯電話２に対して選択番号１０の入力を要求する（ステップＳ４）。具体的には、携帯電話２において、選択番号１０を入力する旨を携帯電話２の表示部に表示させたり、スピーカから音声ガイドとして発生させたりする。なお、管理対象物４が一つだけの場合は、選択番号１０を入力させるまでもなく所在報知装置５を特定することができるが、本例ではこのような場合でも、選択番号１０として例えば「１」を入力させるようにしている。これによれば、プログラムのアルゴリズムが簡略化されるとともに、将来、管理対象物４の数が増加する場合でも容易に対処することができる。
【００２９】
無線基地局装置３は、携帯電話２において入力された選択番号１０を認識すると（ステップＳ５においてＹＥＳ）、ユーザデータベース８から、電話番号９及び選択番号１０の組合せに対応する作動情報１１を抽出し（ステップＳ６）、作動情報１１に応じた作動信号を発信する（ステップＳ７）。これにより、電話番号９及び選択番号１０の組合せに対応する所在報知装置５が作動し、報知手段２０による報知処理が行われる。つまり、使用者は管理対象物４の所在を光または音をたよりに探索することが可能になる。
【００３０】
そして、管理対象物４の所在が明らかになり、携帯電話２から終了指示信号が入力されると（ステップＳ８においてＹＥＳ）、発信手段１７による作動信号の発信を停止させる（ステップＳ９）。これにより、所在報知装置５における報知処理が終了する。
【００３１】
このように、上記の所在探索支援システム１によれば、汎用の携帯電話２を利用して、管理対象物４の所在を簡単に探索することができる。特に、複数の管理対象物４を同時に管理できることから、使い勝手に優れ、幅広い用途に適用することが可能となる。例えば、管理対象物４として車のキーや財布に装着した場合には、置き場所を忘れたり紛失したりした場合でも速やかに発見でき、探索に伴う労力の浪費を防止できる。また、管理対象物４として書類等に装着した場合には、数多くの書類の中から目的の書類を速やかに見つけることができ、業務の円滑化を図ることができる。
【００３２】
上記の所在探索支援システム１では、探索する際に、自局番号を被呼側番号として発信させることから、電話番号の数を増加させることなく簡易に実現させることができる。また、登録された本人の携帯電話２でなければ所定の所在報知装置５を作動させることができないため、安全性に優れ盗難等の犯罪を未然に防ぐことができる。
【００３３】
さらに、携帯電話２及び無線基地局装置３を利用するため、いつでもどこでも必要に応じて利用することができるとともに、広範囲の領域において管理対象物４を探索することが可能になる。なお、一つの無線基地局装置３におけるエリアが限られていても、複数の無線基地局装置３をネットワークで結ぶことにより、紛失された管理対象物４を全国的に探索することが可能となる。この場合、所在報知装置５の報知手段２０に使用者の連絡先等を表示させるようにすれば、紛失物が発見される可能性が極めて高くなる。
【００３４】
続いて、本発明の第二実施形態である所在探索支援システムについて、図３及び図４に基づき説明する。図３は所在探索支援システムの構成を示す説明図であり、図４は所在探索支援システムのサーバにおける処理の流れを示すフローチャートである。なお、第一実施形態の所在探索支援システム１と同様の構成については同一の番号を付し詳細な説明を省略する。
【００３５】
本例の所在探索支援システム２１は、図３に示すように、インターネット２３に接続可能な携帯電話２と、インターネット２３に接続されたサーバ２２と、使用者の管理対象物４に装着される所在報知装置５とから構成されている。
【００３６】
サーバ２２は、各携帯電話２から送信された発信情報を受信し、この信号に応じた処理を行うものである。ハード構成としては、主記憶装置と、演算装置及び制御装置から構成される中央処理装置と、情報を入力するための入力装置と、ハードディスク等から構成された記憶装置（いずれも図示しない）とを備えている。
【００３７】
記憶装置には、使用者に関する情報、及び個々の使用者が使用する携帯電話２及び所在報知装置５に関する情報が記憶されるユーザデータベース２６が構築されている。特に、ユーザデータベース２６には、発信情報２７と所在報知装置５に関する作動情報１１とが互いに関連付けて記憶されている。なお、一台の所在報知装置５に対して一つの発信情報２７が対応して記憶されている。ここで、ユーザデータベース２６が本発明の記憶手段に相当する。
【００３８】
また、サーバ２２には、機能的構成として、通信手段２４と、認証手段２５と、発信情報要求手段２８と、抽出手段２９と、発信手段１７とを備えている。つまり、インターネット２３を介して通信する点、使用者を認証する点、及び発信情報２７を入力させる点が、第一実施形態における所在探索支援システム１と異なり他の機能的構成については略同様である。
【００３９】
そこで、相違点について説明すると、通信手段２４は、ＣＰＵ、ＲＡＭ、及びハードディスク等を備えるｗｅｂサーバから構築されており、所定のｗｅｂページを、インターネット２３を介して携帯電話２に提供しつつ、個々の携帯電話２との間で種々の情報を送受信することを可能にしている。認証手段２５は、認証情報を基に携帯電話２の使用者を認証するものである。発信情報要求手段２８は、携帯電話２に対して発信情報２７の入力を要求するものである。抽出手段２９は、携帯電話２で入力された発信情報２７に対応する作動情報１１をユーザデータベース２６から抽出し、発信手段１７に送るものである。なお、本例では、入力される発信情報２７の数は二以上であってもよく、この場合には複数の所在報知装置５に関する作動情報１１が抽出され、発信手段１７から発信される。つまり、複数の所在報知装置５を同時に作動させることを可能にしている。
【００４０】
次に、第二実施形態の所在探索支援システム２１の動作、特に、サーバ２２における処理の流れについて説明する。図４に示すように、まず、サーバ２２は、いずれかの携帯電話２からアクセスされると（ステップＴ１においてＹＥＳ）、その携帯電話２に対してＩＤ及びパスワードの入力を要求する（ステップＴ２）。
【００４１】
その後、サーバ２２は、ＩＤ及びパスワードを認証し登録された使用者であることを認識すると（ステップＴ３においてＹＥＳ）、携帯電話２に対して発信情報２７の入力を要求する（ステップＴ４）。つまり、ｗｅｂページ上に発信情報２７を入力する旨の表示を行う。
【００４２】
その後、サーバ２２は、携帯電話２において入力された発信情報２７を認識すると（ステップＴ５においてＹＥＳ）、ユーザデータベース２６から発信情報２７に対応する作動情報１１を抽出し（ステップＴ６）、作動情報１１に応じた作動信号を発信する（ステップＴ７）。これにより、発信情報２７に対応する所在報知装置５が作動し、報知手段２０による報知処理が行われる。つまり、使用者は管理対象物４の所在を光または音をたよりに探索することが可能になる。
【００４３】
そして、管理対象物４の所在が明らかになり、携帯電話２から終了指示信号が入力されると（ステップＴ８においてＹＥＳ）、発信手段１７による作動信号の発信を停止させる（ステップＴ９）。これにより、所在報知装置５における報知処理が停止され、一連の処理が終了する。
【００４４】
このように、上記の所在探索支援システム２１では、汎用の携帯電話２及びインターネット２３を利用して、管理対象物４の所在を簡単に探索することができる。また、インターネット２３に送出された発信情報２７に応じて適切な作動情報が抽出されるため、管理対象物４の種類が多い場合であっても、容易に対処することができる。
【００４５】
以上、本発明について好適な二つの実施形態を挙げて説明したが、本発明はこれらの実施形態に限定されるものではなく、以下に示すように、本発明の要旨を逸脱しない範囲において、種々の改良及び設計の変更が可能である。
【００４６】
すなわち、第一実施形態の所在探索支援システム１では、汎用の携帯電話２を利用するものを示したが、携帯電話２の操作部に、自局番号を発信させるための専用の操作ボタンを備えるようにしてもよい。これによれば、操作ボタンを押圧するだけで選択番号１０が要求される状態となることから、使用者の操作を減らし負担を軽減することが可能になる。
【００４７】
また、第一実施形態の所在探索支援システム１では、一台の携帯電話２で複数の所在報知装置５を個々に作動させ得るものを示したが、携帯電話２の電話番号９と所在報知装置５とを直接対応させ、夫々の所在報知装置５の作動を個々の携帯電話２で管理させるようにしてもよい。これによれば、選択番号要求手段１５が不要となるため無線基地局装置３における処理が一層簡略化される。
【００４８】
さらに、上記二つの実施形態の所在探索支援システム１，２１では、携帯電話２から終了指示信号が入力されるまで、所在報知装置５の報知手段２０を作動させ続けるものを示したが、所定時間経過しても終了指示信号が入力されない場合に報知手段２０の作動を強制的に停止させるようにしてもよい。
【００４９】
【発明の効果】
以上のように、請求項１及び請求項２の発明の所在探索支援システムは、携帯電話を利用して、管理対象物の所在を簡単に探索することができる。特に、電話番号の数を増加させることなく簡易に実現できる。また、管理対象物に対する安全性が確保され盗難等の犯罪を未然に防ぐことができる。さらに、携帯電話を利用するため、いつでもどこでも必要に応じて利用することができる。さらに、請求項２の発明によれば、複数の管理対象物を同時に管理できることから、使い勝手に優れ、幅広い用途に適用することが可能となる。
【００５０】
請求項３の発明の所在探索支援システムは、携帯電話及びインターネットを利用して、管理対象物の所在を簡単に探索することができる。また、管理対象物の種類が多い場合であっても、容易に対処することができる。
【図面の簡単な説明】
【図１】本発明の第一実施形態である所在探索支援システムの構成を示す説明図である。
【図２】所在探索支援システムの無線基地局装置における処理の流れを示すフローチャートである。
【図３】本発明の第二実施形態である所在探索支援システムの構成を示す説明図である。
【図４】所在探索支援システムのサーバにおける処理の流れを示すフローチャートである。
【符号の説明】
１，２１  所在探索支援システム
２  携帯電話
３  無線基地局装置
４  管理対象物
５  所在報知装置
６  公衆回線網
８，２６  ユーザデータベース（記憶手段）
９  電話番号
１０  選択番号
１１  作動情報
１２  受信手段
１３  送出手段
１４  電話番号判断手段
１５  選択番号要求手段
１６，２９  抽出手段
１７  発信手段
１９  報知制御手段
２０  報知手段
２２  サーバ
２３  インターネット
２４  通信手段
２７  発信情報
【図１】
2004200750.tif 000003
【図２】
2004200750.tif 000004
【図３】
2004200750.tif 000005
【図４】
2004200750.tif 000006
【手続補正書】
【提出日】平成15年4月3日(2003.4.3)
【手続補正１】
【補正対象書類名】明細書
【補正対象項目名】特許請求の範囲
【補正方法】変更
【補正の内容】
【特許請求の範囲】
【請求項１】
ユーザーの管理対象物に装着され、
ユーザーが認識可能な光または音等を出力する報知手段、
及び作動信号に基づき前記報知手段を動作させる報知制御手段
を有し、前記報知手段の作動によって前記管理対象物の所在を知らせる所在報知装置と、
携帯電話から発信された電波信号を受信する受信手段、
該電波信号を公衆回線網に送出する送出手段、
前記所在報知装置に関する作動情報を、夫々の携帯電話の電話番号に対応させて記憶した記憶手段、
前記受信手段で受信された前記電波信号を基に被呼側の電話番号を認識するとともに、該被呼側の電話番号と前記携帯電話の電話番号とが互いに一致しているか否かを判断する電話番号判断手段、
前記被呼側の電話番号及び前記携帯電話の電話番号が互いに一致していると判断された場合、前記電話番号に対応する前記作動情報を前記記憶手段から抽出する抽出手段、
及び抽出された前記作動情報に応じた作動信号を発信する発信手段
を有する無線基地局装置と
を備えることを特徴とする所在探索支援システム。
【請求項２】
ユーザーの管理対象物に装着され、
ユーザーが認識可能な光または音等を出力する報知手段、
及び作動信号に基づき前記報知手段を動作させる報知制御手段
を有し、前記報知手段の作動によって前記管理対象物の所在を知らせる所在報知装置と、
携帯電話から発信された電波信号を受信する受信手段、
該電波信号を公衆回線網に送出する送出手段、
前記所在報知装置に関する作動情報を、夫々の携帯電話の電話番号及び予め設定される選択番号に対応させて記憶した記憶手段、
前記受信手段で受信された前記電波信号を基に被呼側の電話番号を認識するとともに、該被呼側の電話番号と前記携帯電話の電話番号とが互いに一致しているか否かを判断する電話番号判断手段、
前記被呼側の電話番号及び前記携帯電話の電話番号が互いに一致していると判断された場合、前記携帯電話に対して前記選択番号の入力を促す選択番号要求手段、
前記受信手段によって前記選択番号が認識されると、前記電話番号及び前記選択番号の組合せに対応する前記作動情報を前記記憶手段から抽出する抽出手段、
及び抽出された前記作動情報に応じた作動信号を発信する発信手段
を有する無線基地局装置と
を備えることを特徴とする所在探索支援システム。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００５０
【補正方法】削除
【補正の内容】